(57)【要約】 【課題】手の届き難い肩甲に貼ったシップ薬の紐を引っ張ることにより簡単に剥せるシップ薬に関する。          【解決手段】シップ薬の角より対角線上の中心寄りに０．１ｃｍから３ｃｍぐらいの位置に粘着面の内側に紐を取り付ける。手の届き難い背中  肩甲骨に、剥し機能付きシップの紐を上にして貼った場合、剥し紐の先に付いている固定用テープを腰周辺の手の届く位置に固定し、剥すときは腰の横から下に向けて引っぱって剥す。また、剥し機能付きシップの紐を下にして貼った場合、剥し紐の先に付いている固定用テープを肩から胸の間の手の届く位置に固定し、剥すときは肩越しに手前に引っ張ることにより簡単に剥すことができる。【選択図】  図１
2012130405.tif 000002
【特許請求の範囲】
【請求項１】
シップ薬の布５の外枠から中心寄りの位置から、布５と粘着性にあるシップ薬剤４の間に挟んで、布５の外方向に、紐２を取り付け、背中にシップ薬を貼った後、その紐２を引っ張ることでシップ薬を剥がせるようにしたことを特徴とした剥がし機能付きシップ薬。
【請求項２】
シップ薬が略四角状のとき、シップ薬の布５と粘着性にあるシップ薬剤４の間に挟んで、一角の対角線上の中心寄り０．１ｃｍから３ｃｍの位置から、対角線の外方向に紐２を取り付けたことを特徴とした請求項１記載の剥がし機能付きシップ薬。
【請求項３】
シップ薬が略四角状のとき、シップ薬の一角の対角線上の中心寄りに０．１ｃｍから３ｃｍの位置にシップ薬剤４の粘着面から布５の外面に紐２を通し、抜けないように布５に固定したことを特徴とする請求項１又は請求項２に記載の剥がし機能付きシップ薬。
【請求項４】
シップ薬が略四角状のとき、シップ薬の一角の対角線上の中心寄り０．１ｃｍから３ｃｍの位置の布５の一部分の織り目を細かく硬くし、シップ薬剤４の粘着面から、織り目を細かく硬くした布の部分６に紐２を通し、紐２の端が抜けないようにしたことを特徴とする請求項１〜請求項２の何れかに記載の剥がし機能付きシップ薬。
【請求項５】
紐２の先に固定用テープ３を備え、この固定用テープ３を体に貼り付けられるようにして、シップ薬を剥がすときに、紐２を見つけ易くしたことを特徴とする請求項１から請求項４の何れかに記載の剥がし機能付きシップ薬。
【発明の詳細な説明】
【技術分野】
【０００１】
手の届き難い肩甲骨  背中に貼ったシップ薬を、紐を引っ張ることにより剥せるシップ薬に関する。
【背景技術】
【０００２】
特許文献１や、特許文献２のシップ薬を貼る補助具などの提案は多くある。又、手の届き難い場所へのシップ薬を貼るための提案は色々あるが、手の届き難い場所に貼ったシップ薬を楽に簡単に剥すための提案がされていない。
【先行技術文献】
【特許文献】
【０００３】
【特許文献１】特許公開  ２００４−２５５１４６
【特許文献２】特許出願  ２０００−１６６９６７
【発明の概要】
【発明が解決しようとする課題】
【０００４】
手の届き難い背中の肩甲骨にピッタリと貼りついたシップ薬を剥すのが難しい。ピッタリと貼りついたシップ薬を肩の上から、また腰の横から力任せに引っぱっても剥がれにくく、腕に負担がかかり大変な作業である。
【課題を解決するための手段】
【０００５】
シップ薬の布５の外枠から中心寄りの位置から、布５と粘着性にあるシップ薬剤４の間に挟んで、布５の外方向に、紐２を取り付け、背中にシップ薬を貼った後、その紐２を引っ張ることでシップ薬を剥がせるようにしたことを特徴とした剥がし機能付きシップ薬。
【０００６】
シップ薬が略四角状のとき、シップ薬の布５と粘着性にあるシップ薬剤４の間に挟んで、一角の対角線上の中心寄り０．１ｃｍから３ｃｍの位置から、対角線の外方向に紐２を取り付けたことを特徴とした剥がし機能付きシップ薬。
【０００７】
シップ薬が略四角状のとき、シップ薬の一角の対角線上の中心寄り０．１ｃｍから３ｃｍの位置にシップ薬剤４の粘着面から布５の外面に紐２を通し、抜けないように布５に固定したことを特徴とする剥がし機能付きシップ薬。
【０００８】
シップ薬が略四角状のとき、シップ薬の１角の対角線上の中心寄り０．１ｃｍから３ｃｍの位置の布５の一部分の織り目を細かく硬くし、シップ薬剤４の粘着面から、織り目を細かく硬くした布の部分６に紐２を通し、紐２の端が抜けないようにしたことを特徴とする剥がし機能付きシップ薬。
【０００９】
紐２の先に固定用テープ３を備え、この固定用テープ３の先を体に貼り付けられるようにして、シップ薬を剥がすときに、紐２を見つけ易くしたことを特徴とする剥がし機能付きシップ薬
【発明の効果】
【００１０】
ピッタリと貼りついたシップ薬を肩の上から、また腰の横から力任せに引っぱっても剥がれにくく、腕に負担がかかり大変な作業であるが、剥し機能付きシップを使う事により、背中の肩甲骨に貼ったシップ薬の剥し紐の位置が上の場合、腰の横から下に向けて引っ張り、またシップ薬の剥し紐の位置が下の場合、肩の上から下に向けて引っ張ることにより、力任せに引っぱっても剥がれにくく腕に負担がかかりにくくなる。
【図面の簡単な説明】
【００１１】
【図１】本発明の背中に貼った剥し機能付きシップ薬の紐を引っぱりシップ薬を剥している図である。
【図２】本発明のシップ薬の布と粘着面の間に紐を取り付けた剥し機能付きシップ薬の図である。
【図３】本発明の剥し機能付きシップ薬の対角線の断面図である。
【図４】本発明の剥し機能付きシップ薬の紐が抜けなくするための布面の１部を補強した図である。
【図５】本発明の剥し機能付きシップ薬の紐を収納した図である。
【図６】本発明の剥し機能付きシップ薬の紐の収納部を拡大した図である。
【図７】本発明の剥し機能付きシップ薬の紐の別収納方法を示す図である。
【発明を実施するための形態】
【００１２】
本発明の実施形態を図面に基づいて説明する。
【００１３】
図１は、背中に貼った剥し機能付きシップの紐を引っぱりシップ薬を剥している図である。
背中の肩甲骨にピッタリと貼りついたシップ薬を剥す時、肩の上から、また腰の横から力任せに引っぱっても剥がれにくく、また棒、孫の手などでシップ薬の上部を押しながらの剥し方も、肌に傷が付くこともある。そこでシップ薬の布５とシップ薬剤４の間に一角の対角線上の中心寄りに、紐２が外れないように取り付けた剥し機能付きシップ薬を使用した場合、略四角状の剥し機能付きシップ薬の角に、布５と粘着性を有するシップ薬剤４の間に紐が取り付けてあるので、紐を引っぱることにより角が浮き上がるので無理なく剥すことができる。
【００１４】
図２は、シップ薬の布と粘着性のシップ薬剤４の間に、紐を取り付けた剥し機能付きシップ薬の図である。
シップ薬の布５と粘着性のなるシップ薬剤４の間に挟んで、シップ薬の角の対角線上の中心寄りに０.１ｃｍから３ｃｍぐらいの位置から対角線上の角方向に、紐２が外れないように固定し、シップ薬を剥すときに紐２を見つけやすくする為、紐２の先端に固定用テープ３を構成する。
【００１５】
図３は剥し機能付きシップ薬の対角線の断面図である。
シップ薬は、布５、シップ薬剤４、及び乖離紙７の３層でなる。乖離紙７は剥しやすいセロファン、紙、樹脂などで構成する。シップ薬の布５の対角線上の中心寄りに０.１ｃｍから３ｃｍぐらいの位置から角までに、紐２を布５と粘着性のあるシップ薬剤４で挟み固定する。紐２を固定した布５にシップ薬剤４を貼り付けその上に剥離紙７を構成している。
【００１６】
図４は紐２が抜けないために布５の一部を補強した図である。
シップ薬の布５は伸縮するものが多く紐が抜けやすいため、シップ薬の一角の対角線上の中心よりに０，１ｃｍから３ｃｍぐらいの位置の布の織り目を細かくしたり、糊などで硬くし、シップ薬剤４の粘着面から、織り目を細かく硬くした布の部分６に紐２を通し、紐２の端が抜けないようにする。
【００１７】
図５は剥し機能付きシップ薬の紐２を収納した図である。
図２の剥し機能付きシップ薬の紐２の収納形態で、剥し機能付きシップ薬の紐２が縺れないように、剥離紙と同様の剥しやすい材質の紐収納紙８に接着剤、粘着テープ９などで紐を固定、収納し、剥し機能付きシップの紐２を見つけやすくするため、紐２の先端に固定用テープ３を構成する。その紐収納紙８をシップ薬剤面に置きその上から剥離紙７を構成する。
【００１８】
図６は剥し機能付きシップ薬の紐を収納した部分の拡大図である
図５の剥し機能付きシップ薬の紐２の収納形態を拡大したものである。
剥し機能付きシップ薬の紐２が収まる大きさの紐収納紙８に接着剤、粘着テープ９などで紐を固定・収納し、剥し機能付きシップの紐２を見つけやすくするため紐２の先端に固定用テープ３を構成する。
【００１９】
図７は図５とは別の剥し機能付きシップ薬の紐を収納した図である。シップ薬剤４の布５の上面に接着剤、粘着テープ９などで紐を固定・収納し、剥し機能付きシップの紐２を見つけやすくするため紐２の先端に固定用テープ３を構成する。
【符号の説明】
【００２０】
１  剥し機能付きシップ薬
２  紐
３  固定用テープ
４  シップ薬剤
５  布
６  織り目を細かく硬くした布の部分
７  剥離紙
８  紐収納紙
９  粘着剤
【図１】
2012130405.tif 000003
【図２】
2012130405.tif 000004
【図３】
2012130405.tif 000005
【図４】
2012130405.tif 000006
【図５】
2012130405.tif 000007
【図６】
2012130405.tif 000008
【図７】
2012130405.tif 000009